(57)【要約】【課題】吸気カバーの内部に配置されるエアクリーナとレゾネータとを、前後方向の幅を極力狭く構成しながら、高さを低くし、例えばコンバインの車体のエンジンカバーの上側に設置したとき、すぐ背後に隣接するグレンタンクの容積を拡大できるものとする。【解決手段】車体（１）に搭載したエンジン（２）に空気を濾過して供給するエアクリーナ（３）と、該エアクリーナ（３）の吸入側に接続したレゾネータ（４）とを、上下方向に重ねて配置し、吸気カバー（５）を被せて構成する。この場合、側面視形状が略円形状のレゾネータ（４）とエアクリーナ（３）とを、最も高い中心位置を前後方向にずらして全体高さが低くなるように重ねて配置する。【選択図】  図２
2008008178.tif 000002
【特許請求の範囲】
【請求項１】
車体（１）に搭載したエンジン（２）に空気を濾過して供給するエアクリーナ（３）と、該エアクリーナ（３）の吸入側に接続したレゾネータ（４）とを、上下に接近させて吸気カバー（５）内部に配置するにあたり、側面視形状が略円形状の前記レゾネータ（４）とエアクリーナ（３）とを、上下方向に重なり合う状態としながら、各側面視形状の中心位置を前後方向にずらして配置したことを特徴とする作業車輌。
【請求項２】
前記エアクリーナ（３）とレゾネータ（４）とを、一部が上下に重なり合う配置とし、エアクリーナ（３）の掃除口（６）を車体（１）の外側に寄せ、レゾネータ（４）の吸気口（７）を車体（１）の内側に寄せて、それぞれ左右方向にずらして配置したことを特徴とする請求項１記載の作業車輌。
【請求項３】
前記吸気カバー（５）をエンジンルーム（２７）の外側に設け、該吸気カバー（５）の内部空洞に前記エアクリーナ（３）とレゾネータ（４）とを収納する構成とし、該吸気カバー（５）の少なくとも一部分に、吸気用の目抜き孔（９）からなる吸気防塵網（１０）を形成したことを特徴とする請求項１記載の作業車輌。
【請求項４】
前記レゾネータ（４）の吸気口（７）を、前記吸気カバー（５）の内壁における前記吸気防塵網（１０）以外の部位に対面した位置で吸気作用を行うように配置したことを特徴とする請求項１又は請求項２又は請求項３のいずれかに記載の作業車輌。
【発明の詳細な説明】
【技術分野】
【０００１】
この発明は、コンバイン等の作業車輌に関するものである。
【背景技術】
【０００２】
従来から、例えばコンバインのエンジンに外気を濾過して供給するためのエアクリーナは、コンバインの車体上に構成したエンジンルーム又は別構成のボックスに内装して設けられ、吸気工程で発生する騒音をレゾネータ（消音器）で消音しながら作業ができる構成になっていた。
【０００３】
例えば、本件出願前に公開されている特許第３６４８８９４号特許公報に（特許文献１参照）には、エンジンルーム内にエンジンとともにエアクリーナが配置して設けられ、その上方に、別構成の吸気ボックス内にサイレンサー（本件出願のレゾネータに相当する。）を配置して設けた構成となっている。
【０００４】
そして、エアクリーナは、吸気ボックスのサイレンサーが吸気した空気が送られ、これを清浄したのちエンジンに供給する構成となっている。
【特許文献１】特許第３６４８８９４号公報
【発明の開示】
【発明が解決しようとする課題】
【０００５】
従来のエアクリーナとレゾネータは、上記した特許文献１に見られるように、別構成の吸気ボックスか、又は外部から仕切られたエンジンルーム等の独立した室や閉鎖状の箱に内装して搭載することが多く、消音効果などの利点がある反面に、他の各種の装置と共にボックス内に設置する場合、構成が複雑となって大型となり、周囲の装置にスペース的に影響する課題があった。そして、従来の構成は、ボックス内に設けるから、清掃やメンテナンスに際して、二重、三重に囲んだ側板や蓋を開ける必要があって、作業が煩雑で手間がかかる課題があった。
【０００６】
そして、この種の従来のエアクリーナは、前述のように、ボックスに内装するから、消音効果はあるとしても、熱がこもって高温となり、冷却が困難になる課題もあった。
【課題を解決するための手段】
【０００７】
この発明は、上記課題を解決するために、次のような技術的手段を講じる。
即ち、請求項１に記載した発明は、車体（１）に搭載したエンジン（２）に空気を濾過して供給するエアクリーナ（３）と、該エアクリーナ（３）の吸入側に接続したレゾネータ（４）とを、上下に接近させて吸気カバー（５）内部に配置するにあたり、側面視形状が略円形状の前記レゾネータ（４）とエアクリーナ（３）とを、上下方向に重なり合う状態としながら、各側面視形状の中心位置を前後方向にずらして配置したことを特徴とする作業車輌であって、吸気カバー５の内部で上下方向に重ねて、前後方向の幅を狭くすることを図りながら、側面視形状としての円形の最も高い中心部位の重合を避けて構成している。したがって、該吸気カバー５の内部に配置するエアクリーナ３とレゾネータ４とは、前後の方向の幅を極力狭く構成するものでありながら、高さを低くできるものとなっている。
【０００８】
請求項２に記載した発明は、前記エアクリーナ（３）とレゾネータ（４）とを、一部が上下に重なり合う配置とし、エアクリーナ（３）の掃除口（６）を車体（１）の外側に寄せ、レゾネータ（４）の吸気口（７）を車体（１）の内側に寄せて、それぞれ左右方向にずらして配置したことを特徴とする請求項１記載の作業車輌であって、エアクリーナー３とレゾネータ４とを上下に重なり合う配置にして左右幅の広がりを制限し、エアクリーナ３のメンテナンスと、掃除とが容易にできる利点がある。更に、レゾネータ４は、その吸気口７を車体１の内側に寄せたから、外側よりはるかにクリーンな空気が吸引できる利点もある。
【０００９】
請求項３に記載した発明は、前記吸気カバー（５）をエンジンルーム（２７）の外側に設け、該吸気カバー（５）の内部空洞に前記エアクリーナ（３）とレゾネータ（４）とを収納する構成とし、該吸気カバー（５）の少なくとも一部分に、吸気用の目抜き孔（９）からなる吸気防塵網（１０）を形成したことを特徴とする請求項１記載の作業車輌であって、エアクリーナ３とレゾネータ４とを収納する吸気カバー５を、エンジンルーム２７の外側に設けたために、組み立て等が楽になり、メンテナンスが容易になった。更に、吸気カバー５は、エンジンルーム２７の外側に設けているために、エンジン熱がこもる心配がなく、清浄な空気が吸気できる。
【００１０】
請求項４に記載した発明は、前記レゾネータ（４）の吸気口（７）を、前記吸気カバー（５）の内壁における前記吸気防塵網（１０）以外の部位に対面した位置で吸気作用を行うように配置したことを特徴とする請求項１又は請求項２又は請求項３のいずれかに記載の作業車輌であって、前記レゾネータ４は、吸気カバー５の吸気防塵網１０内から直接外気を吸入することは少なく、一度、吸気防塵網１０を通過して除塵されながら内部に吸入された空気が、吸気カバー５内を循環する過程で、更に、重力等が作用して微細な塵埃が落下して清浄化された後、吸気口７から吸引される。
【発明の効果】
【００１１】
請求項１に記載した発明は、吸気カバー５の内部で上下方向に重ねて、前後方向の幅を狭くすることを図りながら、側面視形状としての略円形の最も高い中心部位の重合を避けてコンパクトな造りに形成した特徴がある。従って、吸気カバー５の内部に配置されるエアクリーナ３とレゾネータ４とは、前後方向の幅を極力狭く構成するものでありながら、高さを低くできるものとなっているために、例えばコンバインの車体１のエンジンカバーの上側に設置したとき、すぐ背後に隣接するグレンタンクの容積を拡大できる優れた効果がある。
【００１２】
請求項２に記載した発明は、エアクリーナー３とレゾネータ４とを上下に重なり合う配置にして、前後、左右幅の広がりを制限しながら、エアクリーナー３の掃除口６を外側に寄せ、レゾネータ４の吸気口７を内側に寄せて構成している。このために、エアクリーナ３とレゾネータ４とを内部に設ける吸気カバー５は、前後幅と左右幅とを狭くできて全体としてコンパクトに構成できる効果がある。更に、エアクリーナ３は、蓋を開閉できる端部の掃除口６を車体１の外側に寄せているから、外部から比較的簡単に、メンテナンスや掃除ができる優れた効果がある。そして、レゾネータ４は、その吸気口７を車体１の内側に寄せているから、車体１の外側よりはるかにクリーンな空気が吸引できる特徴がある。
【００１３】
請求項３に記載した発明は、エアクリーナ３とレゾネータ４とを収納する吸気カバー５をエンジンルーム２７の外側に設け、該吸気カバー５をエアクリーナ３とレゾネータ４に被せて固定するだけの簡単な方法で製作でき、着脱が容易で組み立て等が楽になり、これら各部のメンテナンスがきわめて容易にできる効果がある。更に、吸気カバー５は、従来の如く、エンジン熱がこもる心配がなく、清浄な空気の吸引ができる特徴がある。
【００１４】
請求項４に記載した発明は、前記レゾネータ４が、吸気カバー５内から直接外気を吸引することは少なく、一度、吸気防塵網１０を通過して除塵されて内部に吸引された空気が、吸気カバー５内を循環する過程で、重力等が作用して、再度清浄された後、吸気口７からレゾネータ４に吸引されるものである。従って、外気を吸気防塵網１０を介した状態で、直接吸引しないために、塵埃の吸引が大幅に低減されるとともに、レゾネータ４の吸気口７の対面部が板体であるために、吸入音が大幅に低減されて騒音を小さくできる効果がある。
【発明を実施するための最良の形態】
【００１５】
この発明は、エアクリーナ３とレゾネータ４とこれらに付随して取り付ける付属装置を、コンバイン車体１の取付台８に装置し、その上側から吸気カバー５を被せて製作するもので、コンパクトなエアクリーナを提供することができる。
【００１６】
以下、この発明の実施例を図面に基づいて具体的に説明する。
まず、コンバイン１１は、図６、及び図７に示すように、クローラ１２，１２を装備した車体１上に、前進方向に向かって左側に脱穀装置１３を穀稈供給口１４を前側にして搭載し、その前方側に刈取搬送装置１５を設けて構成している。そして、刈取搬送装置１５は、図面に示すように、前部低位置に３つの分草杆１６を設けて２条の穀稈誘導路を形成し、後部低位置に刈取装置１７を設けて２条刈りに構成している。１８は穀稈引起し装置を示している。そして、穀稈搬送装置１９は、図面に示すように、始端部に掻込みスターホイール、その後方で、下方位置に株元搬送装置２０と、上側に穂先搬送装置２１とを上下２段に配置し、後部を高くして傾斜状に設け、刈取穀稈を前記脱穀装置１３の穀稈供給口１４まで搬送して供給する構成としている。
【００１７】
そして、グレンタンク２２は、図６、及び図７に示すように、前記脱穀装置１３の右側に併設し、該脱穀装置１３により脱穀、選別した一番穀粒を一番揚穀筒２３で揚穀して供給し、貯留する構成としている。
【００１８】
そして、エンジンルーム２７は、図７に示すように、車体１上において、グレンタンク２２のすぐ前側の低い位置に形成し、内部にエンジン２を搭載し、側部には防塵網２４を張設して通風可能に形成したエンジンカバー２５を開閉自由に設けて構成している。
【００１９】
そして、操縦座席２８は、図６、及び図７に示すように、前記エンジンルーム２７の前側から上方にかけて設け、その左側から前方位置にかけての周辺には、各操作レバー、操作スイッチ類や操作パネル、更には、各種メーター等の表示パネル等を集中させて配置し、コンバイン１１の操縦ができる構成としている。そして、取付台８は、後述するエアクリーナ３とレゾネータ４と、これらに付随して取り付ける付属装置を組み立てて、その上側から後述の吸気カバー５を被せて取り付ける据付台であって、前記エンジンカバー２５の上、エンジンルーム２７の上方に構成している。
【００２０】
そして、前記グレンタンク２２は、図６、及び図７に示すように、コンバイン１１の前進側の上部側壁を、前方に膨出させて増量タンク３０を形成し、タンク２２にできるかぎり多量の穀粒が貯留できるように工夫した構成としている。この場合、上記増量タンク３０は、図面に示すように、側面視で前側の前記操縦座席２８の背もたれ部分側に接近し、その下方に、以下に説明するエアクリーナ３、レゾネータ４を内部に装置する吸気カバー５が位置する構成としている。
【００２１】
まず、レゾネータ４は、図１、乃至図３に示すように、円形状の消音器部分を中央に位置し、その消音器部分の左側に接続した吸気筒７ａの先端部に吸気口７を連通して設け、右側に吸気ホース３１を連通した構成としている。
【００２２】
なお、この明細書で左側、又は右側の表現は、コンバイン車体１の前進方向に向かって見た状態（一部を破断して示す図２参照）を基準にして記載している。
このようにして、レゾネータ４は、図面に示すように、取付台８上に横方向に向けて載置して取り付けている。そして、エアクリーナ３は、円形状の主要部に、左側の中央部に連通した供給ホース３２を左側に出して、前記吸気筒７ａの背後を通して下方に延長しエンジン２に連通して設け、前記レゾネータ４の上側に接近させて右側に寄せて配置した構成としている。この場合、レゾネータ４とエアクリーナ３とは、図３の側面視で解るように、円形状の側面で上下が最も高い中心位置を避けて、相互に前後方向へ若干ずらして接近させて上下に重ねて配置した構成としている。図３に示す実施例では、下側のレゾネータ４を前側に、上側のエアクリーナ３を後ろ側に、それぞれ若干ずらせて中心位置の重なりがないように配置した構成としている。
【００２３】
更に、上記エアクリーナ３とレゾネータ４とは、図面から解るように、中央部で一部が上下に重なり合う配置として、一方のエアクリーナ３の掃除口６、すなわち、開口端部に覆い蓋３４を設けて形成した部位を、車体１の右外側に寄せ、他方のレゾネータ４を左側、すなわち、前記吸気口７を車体１の内側に寄せて、それぞれ左右に配置した構成としている。
【００２４】
このように、上記エアクリーナ３は、図１、及び図２に示すように、上記掃除口６を、後述する吸気カバー５の外縁部から外側に延長し、その開口端部に覆い蓋３４を被せて、簡単にロックと解除との操作ができる開閉錠３５で止めた構成としている。この場合、実施例の掃除口６は、ロックと解除との切替による開閉操作が簡単にできる開閉錠３５により、覆い蓋３４を開閉することができるから、コンバイン３の車体フレーム１の右外側から、エアクリーナ５の内部清掃や、エアクリーナエレメントの交換等のメンテナンスが、きわめて容易にできる優れた特徴となっている。
【００２５】
そして、レゾネータ４の右側に連通した前記吸気ホース３１は、上記エアクリーナ３の下方で、レゾネータ４の右側に形成されている空間部分を利用して収納した状態に位置させ、端部をエアクリーナ３に接続させて連通状態に構成している。このように配置構成したから、吸気ホース３１は、空間を有効に活用して全体のコンパクト化に役立っている。
【００２６】
更に、前記供給ホース３２も、エアクリーナ３の左側にできた空間を利用して配管し、下方のエンジン側に延ばして連通してエンジン２に空気を送る構成とし、コンパクト化を図っている。
【００２７】
つぎに、吸気カバー５は、図１、乃至図５に示すように、薄い鉄板を素材にプレスによる絞り加工によって蒲鉾型の形状にして、内部を空洞に形成しており、これを、前記取付台２上に固着する場合、コンバインの前進方向に対して横向きに配置して固着している。そして、吸気カバー５は、実施例の場合、図４、及び図５に示すように、前後両側の低い位置に吸気用の無数の目抜き孔９を、パンチング加工によって配列した防塵吸気網１０を形成して、外気を、通過させる過程で防塵しながら吸引ができる構成としている。
【００２８】
そして、吸気カバー５は、図面に示すように、予め、レゾネータ４とエアクリーナ３と、これらに付属する吸気口７を備えた吸気筒７ａ、吸気ホース３１、供給ホース３２をそれぞれ組み立てて車体１の取付台８上にサブ組み立てを完了しておき、これらの上側から被せて被覆し、取付台８に固着する。すると、吸気カバー５は、内側の保持具３６がエアクリ―ナ３の取付部材３７に係合して回り防止と、抜け止めとができる簡単な構成となっている。
【００２９】
そして、既に説明したレゾネータ４の吸気口７は、図面に示すように、上記吸気カバー５の内壁で、前記吸気防塵網１０以外の部位（板面）に対面した位置で、しかも、斜め上向きに設けられ、吸気作用を行う構成にしている。
【００３０】
このように、吸気口７は、吸気防塵網１０に対面することを避けて、吸気カバー５の板状の壁面に斜め上向きに対面させた構成であるから、外気を、前記吸気防塵網１０のすぐ内側に口７を臨ませた状態で、直接吸引することを避けて、塵埃の吸引を防止することができ、併せて、吸入に伴って発生する吸入音を低くでき、騒音を極力低減させる効果を有する。更に加えて、吸気口７は、斜め上向きになっているから、下側の取付台８上に蓄積される塵埃等を吸引することがほとんどない特徴を有する。
【００３１】
つぎに、フロントパネル４０の構成について、図８、乃至図１０に基づき、その実施例を説明する。
まず、フロントパネル４０は、図１０に示すように、コンバイン車体１の右側前部（操縦座席２８の前側）から左側に沿わせてＬ字型に配置し、前側にメータ類を設け、横側にレバーやスイッチ類を設けてコンバインの操縦を可能に構成しているが、以下述べる実施例のフロントパネル４０は、左側部分を指し、図面のように、主変速へバー４１、副変速レバー４２、制御機構の複数のスイッチ４３，４４，４５を設けて操縦座席２８の前左側に配置して構成している。このフロントパネル４０は、図８、及び図９に示すように、板状にして右に主変速レバー４１の変速案内溝４１ａ、左側に前後に沿わせた副変速レバー４２の変速案内溝４２ａを形成し、両案内溝４１ａ，４２ａの間に、スイッチ４３，４４，４５を前後方向に縦一列状態に配置して構成している。そして、実施例の各スイッチは、４３は刈高制御スイッチ、４４は扱ぎ深制御スイッチ、４５は選別制御スイッチであるが、別の装置のスイッチに置き換えることは自由である。
【００３２】
そして、フロントパネル４０は、図９に示すように、前側を低くし、側面視で前傾の状態を保つように構成している。そして、上記フロントパネル４０は、図９に示すように、主変速レバー４１の変速案内溝４１ａの周辺部分を高く蒲鉾状に隆起させた形状に形成しており、その高さを、前記各スイッチ４３，４４，４５の高さと同等になるように構成している。
【００３３】
以上のように構成したフロントパネル４０は、各スイッチ４３，４４，４５を前後縦方向に一列に配置して右側のパネル面を高くすることによって、ブラインドタッチによるスイッチ操作を可能とし、誤操作が少なくなる効果がある。特に、実施例の場合、スイッチ４３，４４，４５は、すぐ右側のパネル面の高さに合わせた高さにしているから、無意識にスイッチをＯＮ操作する誤操作が減った利点がある。
【００３４】
しかも、各スイッチ４３，４４，４５は、主変速レバー４１と副変速レバー４２との間に配置したから、もの（飛散してきた障害物）に当たって自然にＯＮされたり、オペレータが無意識に触ったりすることも少なくなって、誤操作を大幅に減少させる効果がある。
【００３５】
更に、実施例のフロントパネル４０は、図９に示すように、前傾姿勢に固定したから、上面に載った藁屑や塵埃が前側に滑り落ちて、その上面に蓄積することがほとんどなくなり、案内表示やラベル表示が消えたり、隠れたりすることをなくすることができ、前方視界を妨げたりすることもなくなり、刈取、搬送状態を確認しながら安全に作業ができる効果がある。
【００３６】
４６は刈取レバーである。
なお、レバーガイドを隆起した構成のパネルは、例えば、特開平１０−３３７１１４号公開特許公報（図４参照）、又は特開平１１−３５号公開特許公報（図４、及び図５参照）によって出願前公知になっているが、しかし、これら各公知技術には制御スイッチ等の関連構成について記載がない。
【００３７】
つぎに、操縦座席２８に装備したクラッチフレーム５０支持構成と各操作レバー、及び操作連動機構の支持について、以下、説明する。
まず、クラッチフレーム５０は、図１１、及び図１２に示すように、コンバイン１１の前進方向を基準にして前後方向に配置されて、下部を車体１に固着して立設した操縦席機枠５１に支持腕により連結し、後部をリヤフレーム５２に連結して設け、各操作レバー類を支持連結しているが、その中間部位に、下部を車体フレーム５３に固着したフレーム支持ステー５５の上部と、下部をミッションケース５６に固着したミッション支持ステー５７との２本の支持ステーによって支持された構成としている。この場合、フレーム支持ステー５５とミッション支持ステー５７とは、図１１に示す正面視において、一方のフレーム支持ステー５５を略垂直状に配置し、他方のミッション支持ステー５７を、上部がクラッチフレーム５０側に傾斜させた略ハ字状に形成され、図１２に示す側面視では、前側のミッション支持ステー５７が垂直であるのに対して、後側のフレーム支持ステー５５が上部を前側に位置させた前傾姿勢に設けてクラッチフレーム５０を支持させた構成としている。なお、クラッチフレーム５０は、メインビーム５０ａとその周囲に取り付けたフレーム枠５０ｂとを一体にして連結した構成としている。
【００３８】
このように構成されたクラッチフレーム５０は、図１２に示すように、脱穀クラッチレバー５８、刈取クラッチレバー５９、主変速レバー４１、副変速レバー４２をそれぞれ回動操作自由に枢着して支持し、これら各操作レバーには操作連動機構を接続して各クラッチ装置が断続操作できる構成としている。
【００３９】
そして、クラッチフレーム５０は、図１１の正面視で解るように、上部のメインビーム５０ａを仮想の頂点とし、左右２本のステー５５，５７の下部を結んだ仮想の線を底辺とした三角形状の支持構成になっている。したがって、実施例のクラッチフレーム５０は、剛性の高い支持構成を形成しており、メインビーム５０ａを、フレーム支持ステー５５とミッション支持ステー５７との２本により両側から挟んだ状態で強固に保持することができる特徴がある。
【００４０】
それに加えて、実施例のクラッチフレーム５０は、図１２の側面視に示すように、ミッション支持ステー５７を前側に、フレーム支持ステー５５を後ろ側にして、前後方向にずらして配置して連結、構成しているから、前後方向に働く力に対しても強く、ガタの発生を防止し、耐久性に富む優れた機枠構成となっている。
【００４１】
そして、各操作レバー、すなわち、前述した脱穀クラッチレバー５８、刈取クラッチレバー５９、主変速レバー４１、副変速レバー４２は、三角状の支持構成にした頂点（上部のメインビーム５０ａを仮想の頂点としている。）に近い部位にそれぞれ回動支点を配置して支持される構成とした。したがって、クラッチフレーム５０は、上記各操作レバーの操作に関連して発生する負荷、クラッチが伝動状態のときに発生する負荷等に対して充分に耐える構成となっており、長期間使用しても、操作上の狂いがほとんど発生せず、正確で安定した操作を続けることができる特徴がある。
【００４２】
その中でも、特に、主変速レバー４１は、図１２、及び図１３に示すように、その回動支点Ｐを、前記仮想三角形の頂点近傍の位置に設け、更に、回動支点Ｐをフレーム支持ステー５５の上部に横向きに受け止めさせて支持した構成としている。
【００４３】
従来から、主変速レバー４１は、支点を常に安定した状態に支持することが不可欠で、支持フレームが不安定で狂ってくると、油圧無段変速装置（通称ＨＳＴ）のニュートラル位置の保持が困難で、安定した変速操作が難しく、オペレータがニュートラル位置に戻していても、微速で走行する課題があった。
【００４４】
それに対して、上記の実施例に係る主変速レバー４１は、前述のとおり回動支点Ｐ（図９の変速操作移動図参照）が強固に支持されているから、中立位置のズレをなくして変速操作の安定と、安全を図ることができる効果がある。
【００４５】
なお、クラッチフレーム５０の支持構成に関する公知技術は、操作フレームを前、後連結杆によって走行ミッションケースに連結支持した支持機構が、特開２００３−１５９９５６号公開特許公報に開示されている。
【００４６】
つぎに、エンジンカバー２５の開閉支持構成を、図面に基づいてその実施例を説明する。
まず、エンジン２は、図６、及び図７に示すように、操縦座席２８の下側でフロアのすぐ後ろ側に設けたエンジンルーム２７に内装して搭載されており、該エンジンルーム２７を形成しているエンジンカバー２５を、図１３に仮想線で示すように、車体１の右外側に開閉自由にオープンできる構成としている。
【００４７】
そこで、エンジンカバー２５は、図１３に示すように、下側と左側とが開放され、右側下部が支持金具６４に回動自由に枢着され、車体１上に搭載しているエンジン２に上側から被せて囲んだ位置（実線の位置）と、仮想線で示すように、右外側に開放した位置とに開閉できる構成にしている。この場合、支持杆６５は、一方の端部がクラッチフレーム５０に取付杆６６を介して固着され、他方の端部がラジエータフレーム６７に固着して取り付けられている。そして、前記取付杆６６は、上部がクラッチフレーム５０の中央部分でミッション支持ステー５７、及びフレーム支持ステー５５に接近させて連結した部位に接近した位置に固着している。
【００４８】
そして、規制ワイヤー６８は、図１３に示すように、基部を、Ｌ型回動取付具６９によって支持杆６５の先端部に回動自由に取り付け、先端部をエンジンカバー２５の内側上部に連結して設け、エンジンカバー２５の開き幅を規制できる構成としている。
【００４９】
この構成において、エンジンカバー２５は、図１３に仮想線で示すように、車体１の右側に開いたとき、取付杆６５からＬ型回動取付具６９を介して連結した規制ワイヤー６８により最大開き位置が制限される構成としている。このように、エンジンカバー２５は、開放すれば、エンジン２やこれに関連するラジエータ、冷却ファンが外に露出してメンテナンスを行うことができる。
【００５０】
そして、支持杆６５は、エンジンカバー２５を外側に開く過程において、規制ワイヤー６８が最大に伸びて開放の限界に達すると、それに伴って発生する大きな衝撃が、内側端部から取付杆６６を介してクラッチフレーム５０に伝わることになる。そのとき、クラッチフレーム５０は、図１３に示すように、ミッション支持ステー５７が、傾斜した姿勢でクラッチフレーム５０を支えているから、充分に前記衝撃を吸収して変形等の障害が発生することなく、強固に支持することができる。
【００５１】
このように、ミッション支持ステー５７は、図１３に示す正面図で解るように、他の支持ステー（リヤの各支持ステー７０やフレーム支持ステー５５）が直立姿勢になっているのに対して、右側に傾斜させて設けているから、前記衝撃に対応することができてクラッチフレーム５０の変形等を防止できる枠組みとなっている。
【００５２】
そして、規制ワイヤー６８は、図１３に示すように、Ｌ型回動取付具６９が支持杆６５に対して取り付けられた位置で回動して、エンジンカバー２５を閉めた位置では、実線の如く、下向きに垂れ、開いた位置では、仮想線で示すように、斜め下方向きに回動して折り曲げ等の障害がほとんど発生することはない。
【図面の簡単な説明】
【００５３】
【図１】吸気カバー内に装置したエアクリーナとレゾネータとの説明用平面図
【図２】吸気カバー内に装置したエアクリーナとレゾネータとの説明用背面図
【図３】吸気カバー内に装置したエアクリーナとレゾネータとの説明用左側面図
【図４】吸気カバー部の正面図
【図５】吸気カバー部の背面図
【図６】コンバインの平面図
【図７】コンバインの右側面図
【図８】フロントパネル部の平面図
【図９】フロントパネル部の側面図
【図１０】コンバインの平面図
【図１１】クラッチフレームの支持構成を示す説明用正面図
【図１２】クラッチフレームの支持構成を示す説明用左側面図
【図１３】エンジンカバーの開放状態を示す説明用正面図。
【符号の説明】
【００５４】
１  車体                          ２    エンジン
３  エアクリーナ                  ４    レゾネータ
５  吸気カバー                    ６    掃除口
７  吸気口                        ７ａ  吸気筒
８  取付台                        ９    目抜き
１０  吸気防塵網                  ２７    エンジンルーム
【図１】
2008008178.tif 000003
【図２】
2008008178.tif 000004
【図３】
2008008178.tif 000005
【図４】
2008008178.tif 000006
【図５】
2008008178.tif 000007
【図６】
2008008178.tif 000008
【図７】
2008008178.tif 000009
【図８】
2008008178.tif 000010
【図９】
2008008178.tif 000011
【図１０】
2008008178.tif 000012
【図１１】
2008008178.tif 000013
【図１２】
2008008178.tif 000014
【図１３】
2008008178.tif 000015